(57)【特許請求の範囲】
【請求項１】
ケージに挿入されて通信を行うトランシーバであって、
前記ケージに挿入された状態で前記ケージにラッチするラッチ機構を備えており、
前記ラッチ機構は、
前記挿入された状態で、前記ケージに係合した係合位置と、前記ケージに対する係合が解除された係合解除位置との間で移動可能な可動ラッチと、
前記係合位置に配された前記可動ラッチの移動を規制する規制手段と、
前記可動ラッチを前記係合解除位置に配するように付勢する付勢手段と、
前記規制手段による規制を越えて、前記係合位置と前記係合解除位置との間で前記可動ラッチを移動させる操作部材と、
を備え、
前記規制手段が、前記可動ラッチの移動方向に直交する一方向に突出する突出部を備え、
前記操作部材が、回動可能に設けられ、
前記可動ラッチが、
前記操作部材の回動に伴って移動するよう、前記操作部材の回動軸から離間した箇所において前記回動軸を中心とする円の径方向に移動可能、かつ前記円の周方向に移動不能に前記操作部材に連結され、
前記付勢手段が、
前記直交する一方向と反対方向に前記可動ラッチを付勢することを特徴とするトランシーバ。
【請求項２】
前記付勢手段によって付勢された前記可動ラッチが押し当てられるカム面が設けられ、
前記操作部材を操作すると、前記可動ラッチが、前記付勢手段によって前記カム面に押し当てられた状態で移動することを特徴とする請求項１に記載のトランシーバ。
【請求項３】
前記カム面が、前記可動ラッチの移動方向に対して、前記直交する一方向と反対側に傾斜した傾斜面であることを特徴とする請求項２に記載のトランシーバ。
【発明の詳細な説明】
【技術分野】
【０００１】
この発明は、光トランシーバ等のトランシーバに用いられるラッチ機構に関する。
【背景技術】
【０００２】
従来の光トランシーバ９０を図１３に示す。光トランシーバ９０は、略矩形状に形成されている。この光トランシーバ９０は、略矩形筒状に延びるケージ６０の開口部６４を介して、ケージ６０内に挿入されるようになっている。
光トランシーバ９０の内部には、所望の機能を実現するための電気部品が実装されている。また、光トランシーバ９０の一端部には、光部品と接続される光ケーブルコネクタ（図示せず）が差し込まれる光コネクタアダプタ部９１と、底面部に設けられたラッチ突起９２と、底面部に設けられ、かつ光トランシーバ９０の長さ方向に移動可能に設けられた可動アクチュエータ９３とが設けられている。一方、光トランシーバ９０の他端部には、電気インターフェース用パッド９５を有するプリント配線板９４と、電気信号と光信号との変換機能を有する光部品（図示せず）とが搭載されている。
【０００３】
また、ケージ６０は、電気コネクタ７０を介してマザーボード８０に接続されている。すなわち、マザーボード８０には、パッド８２及びスルーホール８１が形成されており、電気コネクタ７０に設けられた端子７２がパッド８２に搭載され、ケージ６０の底面部に形成された端子６３がスルーホール８１に嵌合されてそれぞれ半田付けされている。電気コネクタ７０は、電気インターフェース用パッド９５に電気的に接続されるようになっている。なお、符号７１は開口部を示している。
さらに、ケージ６０の一端部のうちの底面部には、ラッチ係合穴６２とラッチ舌部６１とが設けられている（下記特許文献１参照）。
また、ケージ６０の基端側の内面には、スプリング６５が設けられており、光トランシーバ９０をケージ６０の底まで挿入すると、スプリング６５によって、光トランシーバ９０が押し戻される方向に付勢されるようになっている。
【０００４】
上記の構成の光トランシーバにおいて、光トランシーバ９０をケージ６０に差し込むと、電気インターフェースパッド９５と電気コネクタ７０とが電気的に接続される。しかも、図１４に示すように、ラッチ突起９２がラッチ係合穴６２に嵌合する。これによって、光トランシーバ９０がケージ６０内にラッチされる。この状態で光ケーブルコネクタ（図示せず）を光アダプタ部９１に挿入固定することにより、通信が行われる。
【０００５】
また、光トランシーバ９０をケージ６０から取り出す場合には、図１５に矢印で示すように、光トランシーバ９０の他端部側に向けて（図１５の右方へ）、可動アクチュエータ９３を押す。すると、可動アクチュエータ９３によって、ラッチ舌部６１が弾性変形して所定の位置まで押し下げられ、ラッチ突起９２がラッチ係合穴６２から外れる。これにより、光トランシーバ９０がケージ６０から取り出し可能になる。その結果、スプリング６５の付勢力により光トランシーバ９０が押し出され、その光トランシーバ９０が取り出される。
【特許文献１】特表２００３−５２０３７３号公報
【発明の開示】
【発明が解決しようとする課題】
【０００６】
上記従来の光トランシーバにおいて、光トランシーバ９０をケージ６０から取り出す際には、可動アクチュエータ９３によってラッチ舌部６１を押し下げる必要があるが、ラッチ舌部６１の形状が可動アクチュエータ９３の形状に適合しない場合には、ラッチ舌部６１が所定の位置まで押し下げられない。この結果、ラッチ突起９２がラッチ係合穴６２から外れず、光トランシーバ９０をケージ６０から取り出せないという欠点があった。また、ラッチ舌部６１の弾性が強い場合には、可動アクチュエータ９３を押すことでラッチ突起９２をラッチ係合穴６２から一旦外したとしても、可動アクチュエータ９３に力を加えることを止めると、可動アクチュエータ９３がラッチ舌部６１によって押し返され、その結果ラッチ突起９２がラッチ係合穴６２に再度入ってしまうという欠点があった。
【課題を解決するための手段】
【０００７】
上記の問題を解決するために、この発明は、ケージに挿入されて通信を行うトランシーバであって、前記ケージに挿入された状態で前記ケージにラッチするラッチ機構を備えており、前記ラッチ機構は、前記挿入された状態で、前記ケージに係合した係合位置と、前記ケージに対する係合が解除された係合解除位置との間で移動可能な可動ラッチと、前記係合位置に配された前記可動ラッチの移動を規制する規制手段と、前記可動ラッチを前記係合解除位置に配するように付勢する付勢手段と、前記規制手段による規制を越えて、前記係合位置と前記係合解除位置との間で前記可動ラッチを移動させる操作部材と、を備えることを特徴とする。
【０００８】
この場合、前記規制手段が、前記可動ラッチの移動方向に直交する一方向に突出する突出部を備え、前記操作部材が、回動可能に設けられ、前記可動ラッチが、前記操作部材の回動に伴って移動するよう、前記操作部材の回動軸から離間した箇所において前記回動軸を中心とする円の径方向に移動可能、かつ前記円の周方向に移動不能に前記操作部材に連結され、前記付勢手段が、前記直交する一方向と反対方向に前記可動ラッチを付勢することが望ましい。
【０００９】
このように構成すれば、操作部材を回動させるという単純な操作でトランシーバのケージに対するラッチ状態を解除することができる。
【００１０】
また、前記付勢手段によって付勢された前記可動ラッチが押し当てられるカム面が設けられ、前記操作部材を操作すると、前記可動ラッチが、前記付勢手段によって前記カム面に押し当てられた状態で移動するが望ましい。
【００１１】
このように構成すれば、カム面によって可動ラッチを係合位置へ移動させて可動ラッチをケージに対して係合させ、それによってトランシーバをケージにラッチすることができる。
【００１２】
また、前記カム面が、前記可動ラッチの移動方向に対して、前記直交する一方向と反対側に傾斜した傾斜面であることが望ましい。
【００１３】
このように構成すれば、カム面を容易に形成することができる。
【発明の効果】
【００１４】
上記特徴構成を有するこの発明によれば、操作部材及び付勢手段が協働して可動ラッチを係合解除位置に移動させるとともに、当該係合解除位置に維持するので、トランシーバが挿入された状態で、ケージに対する可動ラッチの係合を確実に解除することができる。しかも、係合を解除した後に可動ラッチがケージに対して再度係合することを防止することができる。
【発明を実施するための最良の形態】
【００１５】
以下、この発明を実施するための最良の形態を、図面を参照して説明する。
図１及び図２は、この発明の一実施の形態として、トランシーバを光トランシーバに適用した様子を示す。
光トランシーバ１は、略矩形状に延ばされて形成されている。そして、光トランシーバ１は、略矩形筒状に延びるケージ６０の開口部６４を介して、ケージ６０内に挿入されるようになっている。
【００１６】
光トランシーバ１は、略矩形筒状に延びるハウジング１０を有している。
ハウジング１０の一端部（図１において左端部）には、光コネクタアダプタ部１１が設けられている。ハウジング１０の他端部には、所望の機能を実現するための電気部品が実装されたプリント配線板５０が搭載されている。プリント配線板５０の基端部には、電気インターフェース用パッド５１が設けられている。
【００１７】
また、ケージ６０は、所望の機能を実現するための各種電気部品が搭載されているマザーボード８０に、電気コネクタ７０を介して接続されている。
すなわち、マザーボード８０には、パッド８２及びスルーホール８１が形成されており、電気コネクタ７０に設けられた端子７２がパッド８２に嵌合され、ケージ６０の底面部に形成された端子６３がスルーホール８１に嵌合されてそれぞれ半田付けされている。
ケージ６０がマザーボード８０に取り付けられた状態では、ケージ６０の基端部に電気コネクタ７０が挿入されている。ケージ６０の内部には、その開口部６４から光トランシーバ１が挿入されるようになっている。そして、光トランシーバ１が挿入された状態では、電気用インターフェースパッド５１が電気コネクタ７０の開口部７１に差し込まれ、電気用インターフェースパッド５１と電気コネクタ７０とが電気的に接続される。そして、光ケーブルコネクタ（図示せず）を光コネクタアダプタ部１１に挿入固定することで通信が行われる。
【００１８】
ケージ６０の先端部のうち底面部には、ラッチ舌部６１が形成されている。このラッチ舌部６１は、その基端部がケージ６０に一体に連結されており、先端部は自由端部として上下方向へ移動可能になっている。ラッチ舌部６１には、ラッチ係合穴６２が形成されている。また、ケージ６０の基端側の内面には、スプリング６５が設けられており、光トランシーバ１をケージ６０の底まで挿入すると、スプリング６５によって、光トランシーバ１が押し戻される方向に付勢されるようになっている。
【００１９】
また、上記ハウジング１０の一端部のうち底面部には、図２に示すように、光トランシーバ１の幅方向（以下、左右方向と称する。）に延びるストッパ溝１２と、このストッパ溝１２に光トランシーバ１の他端側（基端側）に隣接した突出部１９（規制手段）とが形成されている。そして、ストッパ溝１２と突出部１９との間には、互いの共通の側壁として、垂直壁１２ａが形成されている。
突出部１９は、後述する可動ラッチ３０の移動方向と直交する一方向（下方）に突出している。
また、ストッパ溝１２には、可動ラッチ３０の回転軸３１の両端部が回動可能に挿入されている。この状態では、図４に示すように、回転軸３１がストッパ溝１２の垂直壁１２ａに押し当てられることにより、可動ラッチ３０が光トランシーバ１の他端側に移動することが規制されている。
しかし、回転軸３１が、光トランシーバ１の他端側に垂直壁１２ａ及び突出部１９を乗り越えることにより、可動ラッチ３０は、光トランシーバ１の他端側に移動することができるようになっている。
【００２０】
回転軸３１が垂直壁１２ａ及び突出部１９を乗り越えると、図１２に示すように、ストッパ溝１２に対して基端側に隣接して形成された軸受け溝１４に入り込む。そして、回転軸３１がストッパ溝１２から軸受け溝１４まで移動した分だけ、可動ラッチ３０も基端側へ移動する。勿論、回転軸３１は、軸受け溝１４からストッパ溝１２まで移動することが可能であり、その際には可動ラッチ３０が光トランシーバ１の一端側（先端側）へ移動する。
このように、可動ラッチ３０は、光トランシーバ１の前後方向へ移動可能である。可動ラッチ３０には、図２に示すように、基端側に向かって延びるスライド軸３３が設けられており、このスライド軸３３の先端部には、ラッチ突起３２が形成されている。そして、図３及び図４に示すように、ラッチ突起３２がラッチ係合穴６２に入り込むことにより、光トランシーバ１がケージ６０の内部に抜け止め状態で保持されるようになっている。回転軸３１がストッパ溝１２に入り込み、かつラッチ突起３２がラッチ係合穴６２に入り込んでいるときの可動ラッチ３０の位置が係合位置である。
【００２１】
図２に示すように、ハウジング１０の先端側の下部には、押さえカバー４０が可動ラッチ３０を覆うようにして配置されている。押さえカバー４０には、固定穴４２が形成されている。そして、押さえカバー４０は、光トランシーバ１の先端部に形成されたカバー受け突起１７が固定穴４２に嵌められることによってハウジング１０に固定されている。押さえカバー４０の中間部には、ばね部（付勢手段）４１が設けられている。このばね部４１は、可動ラッチ３０を上方へ付勢している。
これにより、可動ラッチ３０は、回転軸３１を中心として図４の反時計方向へ回動するように付勢されており、可動ラッチ３０のスライド軸３３がハウジング１０の下面に形成された傾斜面（カム面）１０ａにスライド可能に押し当てられている。この傾斜面１０ａは、上方側に傾斜した図４において右上がりの傾斜面として形成されている。したがって、可動ラッチ３０は、ばね部４１と傾斜面１０ａとによって光トランシーバ１の基端側へ向かって常時押されている。ただし、光トランシーバ１が係合位置に位置しているときには、回転軸３１が垂直壁１２ａに押し当てられているので、回転軸３１が垂直壁１２ａを乗り越えない限り可動ラッチ３０が基端側へ移動することはない。
【００２２】
また、図２に示すように、ハウジング１０の先端部には、レバー（操作部材）２０が配置されている。レバー２０には、回転軸穴２２が形成されている。また、レバー２０は、ハウジング１０の先端部両側面に形成されたレバー回転軸１３が、回転軸穴２２に回転自在に挿入されることにより、光トランシーバ１に図３に示すラッチ位置と図１０に示すラッチ解除位置との間を回転可能に連結されている。
【００２３】
レバー２０には、図４及び図５に示すように、回転軸穴２２の軸線と直交する方向に延びる長孔２１が形成されている。すなわち、長孔２１は、回転軸穴２２の軸線を中心とする円の径方向に延ばされている。この長孔２１は、回転軸穴２２から下方に離間した箇所に配置されている。長孔２１には、可動ラッチ３０の回転軸３１が長孔２１の長手方向へ移動可能に、かつ幅方向にはほぼ移動不能に挿入されている。したがって、レバー２０が回転すると、可動ラッチ３０は、傾斜面１０ａに押し当てられた状態を維持しつつ光トランシーバ１の前後方向へ移動する。したがって、レバー２０による可動ラッチ３０の移動方向とばね部４１による可動ラッチ３０の付勢方向とは、互いにほぼ直交している。
一方、レバー２０がラッチ位置に位置しているときには、回転軸３１がストッパ溝１２の底部側に位置してその垂直壁１２ａに接している。
【００２４】
このような構成のもと、図６及び図７に示すように、レバー２０をラッチ位置からばね部４１の付勢力に抗して図７の矢印方向へ回動させると、回転軸３１が長孔２１及び垂直壁１２ａによって長孔２１の下端部側へ移動させられる。この状態でレバー２０を自由に回転することができる状態にすると、レバー２０は、ばね部４１の付勢力によってラッチ位置に戻される。これにより、レバー２０が誤ってラッチ位置からラッチ解除位置側へ回動することが防止され、ひいては可動ラッチ３０が係合位置から外れることが防止されている。レバー２０をラッチ解除位置側へ向かってさらに回動させると、回転軸３１が垂直壁１２ａを乗り越え、突出部１９の先端部に乗り上がる。
【００２５】
また、図９に示すように、レバー２０をラッチ解除位置側へさらに回動させると、ばね部４１の付勢力によって回転軸３１が突出部１９の右上がりの傾斜面（カム面）１９ａに突き当たる。すると、回転軸３１が傾斜面１９ａ上を滑りながら右方へ押され、それに伴って可動ラッチ３０が右方へ移動する。その結果、回転軸３１が長孔２１内を上端側へ移動するとともに、ラッチ突起３２が右斜め上方へ移動し、ラッチ係合穴６２にから徐々に抜け出る。
【００２６】
そして、図１０に示すように、レバー２０がラッチ解除位置に移動すると、回転軸３１が軸受け溝１４の底部に突き当たる。これによって、レバー２０がラッチ解除位置を越えて回動することが阻止されている。この状態においては、図１１に示すように、ラッチ突起３２全体がラッチ係合穴６２から抜け出ている。しかも、可動ラッチ３０がばね部４１によって上方へ付勢されているので、ラッチ突起３２は、ラッチ係合穴６２から抜け出た状態に維持される。このときの可動ラッチ３０の位置が係合解除位置である。可動ラッチ３０が係合解除位置に位置しているときには、ラッチ突起３２がラッチ係合穴６２から抜け出ているので、光トランシーバ１をケージ６０から抜き出すことができる。
【００２７】
上記構成の光トランシーバにおいて、光トランシーバ１をケージ６０内でラッチする場合には、レバー２０をラッチ位置に配した状態で、光トランシーバ１をケージ６０に挿入する。すると、光トランシーバ１の挿入に伴ってラッチ突起３２がラッチ舌部６１を弾性変形させて下方へ押し下げる。光トランシーバ１がケージ６０に所定の位置まで挿入されると、ラッチ突起３２がラッチ係合穴６２と対向する。すると、ラッチ舌部６１がそれ自体の弾性によって元の位置に復帰し、ラッチ突起３２がラッチ係合穴６２に入り込む。
【００２８】
光トランシーバ１をケージ６０から抜き出す場合には、上記のように、レバー２０をラッチ位置からラッチ解除位置まで回動させればよい。レバー２０がラッチ解除位置まで回動すると、可動ラッチ３０のスライド軸３３が傾斜面１０ａ上を右方へスライドし、可動ラッチ３０がばね部４１によって上方へ移動させられる。その結果、ラッチ突起３２がラッチ係合穴６２から上方へ抜け出る。この状態では、可動ラッチ３０に下方への力が作用することがないのみならず、ラッチ舌部６１にそれ自体の弾性力が作用することもない。したがって、ラッチ解除位置に回動したレバー２０から手を離したとしても、ラッチ突起３２がラッチ係合穴６２に再度入り込むことがない。よって、ラッチ舌部６１の弾性力の影響を受けることなく、スプリング６５の付勢力のもと光トランシーバ１をケージ６０から容易に取り出すことができる。
【００２９】
なお、この発明は、上記の実施の形態に限定されるものでなく、その要旨を逸脱しない範囲において適宜変更可能である。
例えば、上記の実施の形態においては、この発明を光トランシーバに適用しているが、他のトランシーバにも適用可能である。
また、上記の実施の形態においては、ケージ６０にラッチ係合穴６２を形成し、光トランシーバ１にレバー２０、可動ラッチ３０及びばね部４１を設けているが、光トランシーバ１に係合穴を設け、ケージ６０にレバー、可動ラッチ及びばね部を設けてもよい。
【図面の簡単な説明】
【００３０】
【図１】この発明の一実施の形態を示す分解斜視図である。
【図２】同実施の形態において用いられている光トランシーバを示す分解斜視図である。
【図３】同実施の形態の要部を、レバーをラッチ位置に回動させた状態で示す断面図である。
【図４】図３の要部を拡大して示す断面図である。
【図５】図４のＸ部の拡大図である。
【図６】同実施の形態を、レバーをラッチ位置からラッチ解除位置側へ若干回動させたときの状態で示す拡大断面図である。
【図７】レバーをラッチ位置とラッチ解除位置との中間の位置に回動させたときの図３と同様の断面図である。
【図８】図７の要部を拡大して示す断面図である。
【図９】レバーを図７に示す位置からラッチ解除位置側へさらに回動させたときの図８と同様の断面図である。
【図１０】同実施の形態を、レバーをラッチ解除位置に回動させた状態で示す図３と同様の断面図である。
【図１１】図１０のＸ部の拡大図である。
【図１２】図１０の要部を拡大して示す断面図である。
【図１３】従来の光トランシーバの一例を示す分解斜視図である。
【図１４】同光トランシーバにおいて用いられているラッチ機構をラッチ状態で示す断面図である。
【図１５】同ラッチ機構をラッチ解除状態で示す断面図である。
【符号の説明】
【００３１】
１  光トランシーバ
１９  突出部（規制手段）
２０  レバー（操作部材）
３０  可動ラッチ
３２  ラッチ突起
４１  ばね部（付勢手段）
６０  ケージ
６２  ラッチ係合穴
【図１】
0004574594.tif 000002
【図２】
0004574594.tif 000003
【図３】
0004574594.tif 000004
【図４】
0004574594.tif 000005
【図５】
0004574594.tif 000006
【図６】
0004574594.tif 000007
【図７】
0004574594.tif 000008
【図８】
0004574594.tif 000009
【図９】
0004574594.tif 000010
【図１０】
0004574594.tif 000011
【図１１】
0004574594.tif 000012
【図１２】
0004574594.tif 000013
【図１３】
0004574594.tif 000014
【図１４】
0004574594.tif 000015
【図１５】
0004574594.tif 000016